(57)【要約】本発明によるメディア交換システムは、サーバからメディアを要求するためのより簡易なインターフェースを提供する。ユーザは、サーバにメディアのアーカイブコピーを記憶し、且つサーバ上にアカウントを有する他のユーザにコピーを送信することができる。ユーザは、ユーザがメディアを識別するのを支援する制御ユニットを有する。
2010531482.tif 000002
【特許請求の範囲】
【請求項１】
それぞれが複数の購入されたメディアをユーザアカウントと結び付ける、複数のユーザアカウントと、
各ユーザからのメディアに対する要求を受信し、並びに前記要求に応じて、前記要求されたメディアを要求側ユーザのアカウントと結び付け且つ前記要求側ユーザに前記要求されたメディアのコピーを送信するために前記要求側ユーザのアカウントを修正するようにプログラムされるサーバと
を備えるメディア交換サーバ。
【請求項２】
前記サーバが、ワイドエリアネットワークを介してメディアに対する前記要求を受信することができる、請求項１に記載のメディア交換サーバ。
【請求項３】
前記要求側ユーザからの要求に応じて、前記サーバが、前記複数のユーザアカウントの異なる１つと前記要求されたメディアとを結び付ける、請求項２に記載のメディア交換サーバ。
【請求項４】
前記サーバが、前記要求されたメディアを前記要求側ユーザにＥメールで送る、請求項２に記載のメディア交換サーバ。
【請求項５】
請求項１に記載のサーバを有するメディア交換システムであって、前記ユーザによる前記要求を処理し且つメディアに対する前記要求を前記サーバに送信する制御ユニットをさらに有する、メディア交換システム。
【請求項６】
前記制御ユニットが、娯楽システム構成要素によって再生されるメディアを識別する前記娯楽システム構成要素からの情報を受信し、且つ前記制御ユニットが、前記情報に基づいて再生される前記識別されたメディアを購入することを前記ユーザに許可する、請求項５に記載のメディア交換システム。
【請求項７】
前記制御ユニットが、前記識別されたメディアを購入する費用を前記ユーザに示し、次に、前記識別されたメディアの購入を前記ユーザに許可する、請求項６に記載のメディア交換システム。
【請求項８】
前記制御ユニットが、前記識別されたメディアに類似する他のメディアを前記ユーザに識別し、且つ前記制御ユニットが、前記他のメディアを購入することを前記ユーザに許可する、請求項６に記載のメディア交換システム。
【請求項９】
前記制御ユニットが、メディアに対する前記要求をＥメールを介して前記サーバに送信する、請求項５に記載のメディア交換システム。
【請求項１０】
前記制御ユニットにより受信される前記ユーザからの前記要求が、口頭によるものである、請求項５に記載のメディア交換システム。
【請求項１１】
音声認識モジュールを有する制御ユニットであって、
ユーザからメディアに対する口頭の要求を受信し、且つ前記要求に基づいてサーバから前記要求されたメディアを検索する、制御ユニット。
【請求項１２】
前記制御ユニットが、前記要求されたメディアを識別するＥメールを前記サーバに送信することにより前記要求されたメディアを検索する、請求項１１に記載の制御ユニット。
【請求項１３】
前記制御ユニットが、前記要求されたメディアをＥメールを介して前記サーバから受信する、請求項１２に記載の制御ユニット。
【請求項１４】
前記制御ユニットが、前記ユーザによって要求される前記メディアを識別することにおいて前記ユーザを支援する、請求項１３に記載の制御ユニット。
【請求項１５】
前記制御ユニットが、車両通信システムの一部である、請求項１１に記載の制御ユニット。
【請求項１６】
前記制御ユニットが、ユーザの携帯型無線通信装置を介して前記サーバと通信する、請求項１５に記載の制御ユニット。
【請求項１７】
ａ）複数のユーザアカウントの各々を複数の購入されたメディアと結び付けるステップと、
ｂ）メディアに対する要求を各ユーザから受信するステップと、
ｃ）前記要求に応じて、前記要求されたメディアを前記要求側ユーザのアカウントと結び付けるために前記要求側ユーザのアカウントを修正するステップと、
ｄ）前記要求されたメディアのコピーを前記要求側ユーザに送信するステップと
を含む、ユーザにメディアを提供する方法。
【請求項１８】
前記ステップｂにおける前記要求が、ワイドエリアネットワークを介して受信される、請求項１７に記載の方法。
【請求項１９】
前記要求されたメディアを前記複数のユーザアカウントの異なる１つと結び付けるために前記要求側ユーザから要求を受信するステップと、
前記要求されたメディアを前記複数のユーザアカウントの前記異なる１つと結び付けるステップと
をさらに含む、請求項１７に記載の方法。
【請求項２０】
前記ステップｄが、前記要求されたメディアをＥメールを介して前記要求側ユーザに送信するステップをさらに含む、請求項１７に記載の方法。
【請求項２１】
娯楽システム構成要素によって再生されるメディアを識別する前記娯楽システム構成要素からの情報を受信するステップと、前記情報に基づいて再生される前記識別されたメディアを購入することを前記ユーザに許可するステップとをさらに含む、請求項１７に記載の方法。
【請求項２２】
前記識別されたメディアを購入する費用を前記ユーザに示すステップと、次に、前記識別されたメディアを購入することを前記ユーザに許可するステップとをさらに含む、請求項２１に記載の方法。
【請求項２３】
前記要求されたメディアに類似する他のメディアを前記ユーザに識別するステップと、前記他のメディアを購入することを前記ユーザに許可するステップとをさらに含む、請求項１７に記載の方法。
【請求項２４】
Ｅメールを前記サーバに送信することによりメディアに対する前記要求を検索するステップをさらに含む、請求項１７に記載の方法。
【請求項２５】
前記ステップｂが、前記ユーザから口頭の要求を受信するステップを含む、請求項１７に記載の方法。
【発明の詳細な説明】
【技術分野】
【０００１】
本願は、メディア交換システムに関する。
【背景技術】
【０００２】
本願は、２００７年７月５日に提出された米国仮出願第６０／９４１，９８３号及び２００８年５月８日に提出された第６１／０５１，３９６号への優先権を主張する。
【０００３】
人々は、自身で購入することを希望する歌若しくは本を聴き、又はビデオ若しくは映画若しくは他のメディアを観ることがよくある。人々がその名前を知り且つそのときにコンピュータの前にいなければ、そのメディアを注文することは困難である。現在、これは人が自動車に乗っているときにさらに困難になる。
【０００４】
さらに、人々が自身のコンピュータ又は装置でメディアを入手するとき、ほとんどの人々は購入したメディアのバックアップを作成しない。コンピュータの紛失が生じたとき、人はそのメディアも失う。また、現在のライセンス契約では、あるユーザにより購入されたメディアのコピーを別のユーザに送信することは困難である。一般には、人は購入したメディアのライセンスのないコピーを作るか、或はそのユーザに送るために歌の別のライセンスのあるコピーを見つけて注文しなければならない。
【発明の概要】
【０００５】
本願によるメディア交換システムは、サーバからメディアを要求するためのより簡易なインターフェースを提供する。ユーザは、サーバにメディアのアーカイブコピーを記憶し、且つサーバのアカウントを有する他のユーザにコピーを送信することができる。ユーザは、ユーザがメディアを識別するのを支援する制御ユニットを有する。
【０００６】
開示の実施形態では、車両通信システムとの関連でメディア交換システムが提供される。これはいくつかの特定の利点及び便益を有しており、本願の新規な特徴の１つであるが、メディア交換システムはまた、これとの関連無しで使用することも出来る。
【図面の簡単な説明】
【０００７】
【図１】車両８に実装される通信システム１０を示す。
【図２】制御ユニット１１を示す。
【発明を実施するための形態】
【０００８】
図１には、車両８に実装される通信システム１０が示される。システム１０は、例えばダッシュボードの下、グローブボックスの中等の車両内の目立たない場所に好ましくは設置される、装置制御ユニット１１を有する。制御ユニット１１は、携帯電話、ＰＤＡ、又は他の移動装置１２と無線で通信するためにＢｌｕｅｔｏｏｔｈ（ＩＥＥＥ８０２．１５．１）又は任意の他の無線標準を介する無線通信をサポートする。全てのデータ１３は、送信前に暗号化される。制御ユニット１１の音声出力は、ラジオ１６、衛星テレビ１６Ａ、衛星ラジオ１６Ｂ等を含み得る車両の音声システムに無線１４で、又は直接、有線接続１５を介してのいずれかで送信される。制御ユニット１１に対する音声入力は、直接接続されるマイクロホン１７を介して、既存の車両ハンズフリーシステムを介して、又は移動装置１２に接続されるヘッドセット１８を介して無線で得られる。
【０００９】
制御ユニット１１は、車両の電源用のバッテリに接続される。家庭又は職場で使用するために、ＡＣアダプタが利用可能である。他の車両に持ち運んで使用するには、電源用にシガーライターアクセサリソケットに差し込むために任意の「Ｙ」の又はパススルーのケーブルが利用可能である。
【００１０】
制御ユニット１１は、埋め込みボタン２０を含み、それは運転者に、新しい又は代わりのリモコンの登録、装置と新しい移動装置１２とのペアリング、並びに全ての好み（ｐｒｅｆｅｒｅｎｃｅ）の消去及び装置の工場出荷時の設定への初期化をさせることができる。制御ユニット１１はまた、４つの状態灯２１の組を有し、それは以下の情報、電源とシステムの健全性、車両接続の状態と活動、移動装置の接続状態と活動、及び情報のアクセスと全般状態を表示する。
【００１１】
１例示において、制御ユニット１１及び移動装置１２は、いつユーザ及びユーザの関連移動装置１２が車両に接近し又は入ったかを認識する。これは、例えば、装置と車両のＢｌｕｅｔｏｏｔｈペアリング又は同様の無線通信開始プロトコルによって達成されてもよい。この範囲内で、ハンドヘルド装置１２は、通常の内蔵型操作モードから、制御ユニット１１を介して操作される没入型通信モードに変化する。以下により詳細に記載されるように、とりわけこのモードで、ユーザは車両の音声システム１６により再生される、或は装備されていれば、移動装置１２の音声システム、例えばヘッドホン１８で再生されるＥメールを聞くことができる。車両８の又は移動装置１２のマイクロホン１７は、ユーザ生成の音声コマンドを検出する。よって、ユーザが移動装置１２上でモードを変更する必要が無い。その代わり、制御ユニット１１及び関連移動装置１２が、ユーザの車両への接近を認識し且つそれに従ってモードを調整する。
【００１２】
車両の近接に基づいてモードを調整することに加えて、システム１０は、パブリック及びプライベートモードの間で調整してもよい。例えば、上述のように、システムの没入型通信モードは、通常ユーザが車両８に接近すると発生する。没入型通信モードは、パブリック設定及びプライベート設定を有してもよい。パブリック設定は、移動装置１２と関係付けられるヘッドホン１８を介してＥメールを再生する。このような設定は、ユーザが車両８の他の乗員を邪魔することを防ぐ。プライベート設定は、車両音声システム１６を介してＥメールを再生し、且つ通常ユーザが車両８の唯一の乗員であるときに使用される。
【００１３】
勿論、このようなシステム設定は、ユーザ及びユーザプロファイル内の特定の好みによって調整されてもよい。例えば、ユーザは、移動装置１２及びユーザが車両８から所定の距離内にあるとき没入型通信モードに切り替わることを好み得るが、別のユーザは、移動装置１２及びユーザが車両８に入ったときにのみモードを切り替えてもよい。さらに、ユーザは、たとえ他の乗員が車両８内にいるとしても、制御ユニット１１及び関連装置１２のパブリックモードでの操作を希望してもよい。
【００１４】
同様に、システム１０はユーザが車両８から出るときを認識し、且つ移動装置１２は内蔵型（通常）モードに戻る。移動装置１２はまた、ユーザが車両８を出るときに（ＧＰＳ又は他の情報に基づいて）車両の場所を記録してもよい。従って、ユーザは、装置で又はシステムの他の場所で、後で車両位置を思い出すことができ、これはユーザが車両８を探すのを支援し得る。
【００１５】
装置は複数のＵＳＢポート２２を有する。運転者が好み、設定、オフラインメモ及び複写を標準ＵＳＢフラッシュドライブに記憶できるようにし、将来の拡張、アップグレード及びアドオン機能を許可し、且つ高速インターネットアクセス用にＥｔｈｅｒｎｅｔ（登録商標）ドングルに接続する機能を果たす標準ＵＳＢポートが存在する。さらに、制御ユニット１１は、上述の機能に加えて、標準ケーブルでノートブックコンピュータのＵＳＢポートに直接接続（すなわち、携帯カメラ又はＧＰＳユニットを直接コンピュータに接続するのと同様に）することにより、機能的にＵＳＢ２．０の「ｏｎ−ｔｈｅ−ｇｏ」を提供する２重目的ＵＳＢ２．０ポートを有する。
【００１６】
制御ユニット１１の他のポートは、Ｂｌｕｅｔｏｏｔｈのサポート無しでカーステレオに接続するための１／８インチ音声ジャック、ハンズフリー電話用の外部高品質マイクロホンをサポートするための１／８インチマイクロホンジャック２４、及びＢｌｕｅｔｏｏｔｈのサポート無しで車両から離れて又は車両内で使用するための１／８インチステレオヘッドセットジャック２５を含む。
【００１７】
システム１０はまた、制御ユニット１１と相互作用するための任意のリモコン２６を有する。リモコンは、一般の車両用のリモートキーレスエントリのリモコンのものと同様のリチウムバッテリを含む。
【００１８】
セキュリティ及びプライバシーを提供するために、装置は認証及び暗号化の両方を使用する。また、音声ベース生体認証がさらにセキュリティを高めるために使用されてもよい。
【００１９】
運転者は、設定プロファイル３０に自身の装置用の設定を記憶する。このプロファイル３０は、インターネットサーバ２７のデータベースに記憶されてもよい。制御ユニット１１は、運転者の移動装置１２によって提供されるインターネットアクセスを利用して、インターネットを介して運転者のプロファイル３０をダウンロードする。制御ユニット１１はまた、サーバ２７から正しいプロファイル３０を検索するために移動装置１２からのペアリング情報を使用する。プロファイル３０が制御ユニット１１に既にダウンロードされている場合、制御ユニット１１は、サーバ２７上の変更及び更新を調べるだけであってもよい。サーバ２７上の各プロファイル３０は、制御ユニット１１が運転者にコンテンツ配信の判断をするために使用する１組の規則を含む。運転者は、ウェブベースのインターフェース２８を使用するインターネットを介して、又は関連移動装置１２から直接アクセス可能な簡易インターフェースを介して、インターネットサーバ２７上のプロファイル３０にアクセスし且つ修正することができる。代替的に、プロファイル３０は、制御ユニット１１にのみ常に記憶され且つ修正され、並びに移動装置１２を介して及び／又はラップトップ若しくはデスクトップコンピュータへのＵＳＢ接続を介してアクセスされ得る。
【００２０】
図２に示されるように、制御ユニット１１は、テキスト処理モジュール３４、車両通信モジュール３６、音声認識モジュール３８、Ｂｌｕｅｔｏｏｔｈ（又は他の無線通信）モジュール４０、移動装置通信モジュール４２、テキスト・ツー・スピーチモジュール４４、ユーザインターフェースモジュール４６、及び遠隔装置動作コントローラ４８を有する。制御ユニット１１は、Ｅメールメッセージを処理し、送信者の身元、メッセージが添付ファイルを有するかどうか、有する場合どの種類の添付ファイルかを判断し、それからメッセージの本文を抽出するＥメール処理エージェント５０を有する。制御ユニット１１はまた、メッセージがリマインダ、ニューズ、又は単なる通常のＥメールメッセージであるかどうかを判断する。制御ユニット１１は、Ｅメールの任意の部分が除外されるべきかどうか（例えば、冗長な署名）を判断するためのデータマイニングアルゴリズムを使用する。
【００２１】
（ハンズフリーＥメール）
システムの１つの機能は、ハンズフリーＥメールである。テキスト・ツー・スピーチモジュール４４を使用して、制御ユニット１１は、運転者にＥメールを読み上げることができる。新しいＥメールが到着すると、制御ユニット１１は、プロファイル３０を使用して、Ｅメールがフィルタリングされ且つ優先順位の順番で読み上げられることを確実にし、新しいＥメール割り込みの頻度を制限し、運転者の介入無しに自動応答を送信し、並びに割り込み無しで第３者に所定のＥメールを転送することを運転者にさせることができるインテリジェントフィルタリング及び優先順位付けシステムを案内する。さらに、読み上げられる前に、制御ユニット１１は、Ｅメールを処理して明瞭性を最適化する。この処理の一部は、頭字語、シンボル、及び他のより複雑な構造を検出し、それらが読み上げられるときにより簡単に理解され得ることを確実にすることを含む。制御ユニット１１は、読み上げられるときにＥメールの重要な内容を聞くのに必要とされる時間を低減するためにインテリジェントなＥメールの要約を提供する。
【００２２】
運転者は、制御ユニット１１がＥメールのそれぞれ以前の語句若しくは文または次の語句又は文に戻ることによって反応する、「戻れ」（ｇｏ  ｂａｃｋ）及び「進め」（ｇｏ  ｆｏｒｗａｒｄ）を含む、音声コマンドを使用して制御ユニット１１と相互作用することができる。さらに、「戻れ、戻れ」と話せば、２つの語句または文を遡るであろう。
【００２３】
追加のハンズフリーＥメールの機能は、運転者にＥメールの最も重要な内容又は意味のみを聞かせる時間節約フィルタリングシステムを含む。別のＥメール関連機能は、カスタムＥメールパーサをダウンロードして、可聴Ｅメールに新たな側面を追加し、且つ口語的なＥメールスタイル（すなわち、ｌ８ｒ、ｔｔｙｌ）を構文解析する能力である。
【００２４】
ハンズフリーＥメール機能は、内容の豊富な通知を含む。新しいＥメールの通知を提供する場合、制御ユニット１１は、着信Ｅメールに関する簡単な概要を提供し、運転者にどのメッセージがより重要であるかを優先順位付けさせることができる。例としては、「サリーからのメールがあります。」（Ｅメール用の発呼者ＩＤに類似する）、又は「キャシーからの重要な会談の依頼があります。」が含まれる。制御ユニット１１は、移動装置１２上のユーザのアドレス帳内の送信者のＥメールアドレスに基づいて既知の連絡先を調べる。制御ユニット１１は、不可解なＥメールアドレスを単に読み上げる代わりに、Ｅメールの相手方を識別するために既知の連絡先を使用する。
【００２５】
Ｅメールを読み上げることに加えて、制御ユニット１１はまた、運転者に応答を作成させることができる。運転者は、既存のテキスト又は音声テンプレート（すなわち、「車に乗っています。「番号」に電話してください。」又は「車に乗っています。できるだけ早く返事します。」）を使用して応答を送信することができる。また、新しいＥメールは、．ｗａｖ又は．ｍｐ３ファイルの形式で音声記録として作成され且つ送信され得る。また、運転者には、アドレス帳内の既存の連絡先情報を使用して電話でＥメールの送信者を呼び出し、会談の依頼に応答し且つカレンダ（すなわち、Ｏｕｔｌｏｏｋ）を更新する選択肢が提供される。Ｅメールはまた、Ｅメールの内容を書き取ることにより自由形式のテキスト応答として作成され得る。装置は次に、それをＥメール送信用のテキスト形式に翻訳する。インテリジェントアシスタントが可能な動作を提案し且つ必要とされる助けを提供するために即座に利用可能であろう。さらに、こうした選択肢の全ては、運転者による音声コマンドによって選択され得る制御ユニット１１による口頭の質問によって指示される。
【００２６】
制御ユニット１１は、複数のＥメールアカウントをサポートし、且つＥメールは任意の既存のアカウントから作成され得る。着信Ｅメールはまた、インテリジェントに処理され、且つアカウントに基づいて優先順位付けされる。カスタムドメインでの任意の車内Ｅメールアドレスが利用可能である。このアドレスから送信されるＥメールは、Ｅメールが移動中に作成されたことの通知を含むであろう。車内ＥメールアドレスへのＥメールを作成するときには、送信者は、Ｅメールが車内で読み上げられるであろうことが分かる。従来のＥメールが「ｇｅｒｏｇｅ＠ｗｏｒｋ．ｎｅｔ」である場合、車内アドレスは、「ｇｅｏｒｇｅ＠ｄｒｉｖｉｎｇ．ｎｅｔ」であってもよい。また、任意の改良された既存のＥメールアドレスが、サポートされたＥメールシステムで利用可能である。例えば、従来のＥメールが「ｇｅｏｒｇｅ＠ｗｏｒｋ．ｃｏｍ」である場合、改良された車内アドレスである「ｇｅｒｏｇｅ＋ｄｒｉｖｉｎｇ＠ｗｏｒｋ．ｃｏｍ」が選択されてもよい。
【００２７】
（改良型ハンズフリー電話呼び出し）
本発明の別の機能は、改良型ハンズフリー電話呼び出しである。これは、任意の既存のハンズフリーシステムの透過的な使用を含む。全ての着信電話呼び出しは、既存の車両ハンズフリーシステム又はユーザヘッドセット１８のいずれかを使用することができる。予想される重要なＥメールが運転者の電話中に到着する場合、「Ｅメール待機」表示（光及び／又はわずかなトーン）が会話を邪魔することなくわずかな通知を提供するであろう。ヘッドセット１８は、プライバシーのために又は明瞭性を最適化するためにいつでも起動され得る。制御ユニット１１は、車両ハンズフリーシステムからプライバシーのためのプライベートヘッドセット１８へと途切れずに切り替わるであろう。
【００２８】
また、制御ユニット１１は、改良された発呼者ＩＤを特色とする。装置は、発呼者の名前又は番号を読み上げる（例えば、「これはジョンドーからの呼び出しです。応答を望みますか？」）ことにより着信呼び出しを知らせる。これにより誰が呼び出しているのかを調べるために道路から目を離す必要が無くなる。また、この場合もやはり運転者のプロファイルに基づいて、車両認識スクリーニングが、運転しているときに特定の呼び出しをボイスメールに又は別の番号に自動的に転送することができる。通常の転送規則は車両を出ると再開するであろう。
【００２９】
制御ユニット１１はまた、音声作動応答及び呼び出しを提供する。制御ユニット１１が電話呼び出しを知らせると、運転者は音声コマンドを使用して呼び出しを受け入れることができる。運転者は、発信電話呼び出しを行うためにアドレス帳内の連絡先又は読み上げられる電話番号と関係付けられた音声コマンド（すなわち、「クリスタに電話しろ」）を使用することができる。
【００３０】
（統合情報管理）
本願の別の機能は、統合情報管理を提供することである。制御ユニット１１は、途切れのないアクセスのための一貫したインターフェースを着信及び発信電話呼び出し、Ｅメール、並びに他の情報ソースに提供する。既存のハンズフリーインターフェースは、電話呼び出し、読み上げ、Ｅメール、及び重要な通知の提供の間で自動的に切り替わる。車両に入ると、制御ユニット１１は改良型音声ベースインターフェースを自動的に提供し、且つ車両から出ると、移動装置１２は通常の動作を自動的に再開する。Ｅメール読み上げはまた、着信電話呼び出しを受け入れるために中断可能であり、且つ呼び出しが完了すると再開され得る。
【００３１】
さらに、運転者は、単に話しかけることで、Ｅメール、電話呼び出し、又はＳＭＳテキストメッセージにより任意の連絡先と通信することができる。制御ユニット１１は、着信電話呼び出し用に改良された情報を提供する。運転者が道路から目を離さずに発呼者を確実に知るために、利用可能であれば、名前と番号が読み上げられる。また、ニックネーム又はアドレス帳内にある他の情報が通知に使用されてもよい。
【００３２】
運転者はまた、電話呼び出しでＥメールに応答することができる。Ｅメールを読む一方で、運転者は、アドレス帳の情報で電話呼び出しを行うことにより送信者に連絡することができる。電話呼び出しが行われたが、回線がビジーであるか又はボイスメールが存在しない場合、ユーザは代わりに同じ連絡先にＥメールを送信する選択肢を与えられる。これにより、待機してその人物に再度電話をかけなおす必要が無くなる。
【００３３】
プロファイル３０の中で、運転者は、Ｅメールと電話呼び出しとの間で優先順位を付けることができ、その結果、重要なＥメールは、あまり重要でない電話呼び出しによって邪魔されることがないであろう。さらに、カスタムｍｐ３（又は他の形式）の呼び出し音が着信Ｅメール及び電話呼び出しの両方に関係付けられ得る。呼び出し音は、所定の連絡先からのＥメール、所定の連絡先からの電話呼び出し、又は所定の主題に関するＥメールによってカスタマイズされ得る。電話中にＥメールが到着するとき、又はＥメールを読み又は作成している間に重要な電話呼び出しが着信するときに、カスタムの「キャッチホン」（ｃａｌｌ  ｗａｉｔｉｎｇ）の可聴式指示が使用され得る。
【００３４】
（改良型ハンズフリーカレンダ）
本発明の別の機能は、制御ユニット１１がユーザの移動装置１２のカレンダ機能を利用する改良型ハンズフリーカレンダである。制御ユニット１１は、カレンダリマインダの主題及び時間を読み上げ、且つ運転者は、必要であれば音声コマンドで追加のカレンダ情報にアクセスすることができる。また、運転者は、スケジュールされた約束（日付、時間、主題、場所及びメモを含む）を再検討し、会談の依頼をサポートされるシステム（例えばＯｕｔｌｏｏｋ）から受け入れ、削除し、又は転送し、且つ自動的に会談の場所情報の注釈を付けることにより移動中のスケジュール管理を行うことができる。また、運転者は、特定の地理的領域に車両が次回存在する時間のリマインダを提供する、場所ベースのリマインダを記憶することができ、且つ付近のランドマークに関連する情報を自動的に受信することができる。さらに、運転者は、他の参加者の場所認識装置と直接通信することにより会談の問題を計画し且つ解決することができる。
【００３５】
（妨害禁止（Ｄｏ  Ｎｏｔ  Ｄｉｓｔｕｒｂ））
本発明の別の機能は、「妨害禁止」機能である。乗客が車両内にいる場合に、制御ユニット１１は一時的にサイレンスにさせられ得る。サイレンスの場合であっても、制御ユニット１１はインテリジェントに、着信Ｅメール、Ｅメール転送を処理し、Ｅメールの自動応答を提供し、且つ希望通りにＥメールを処理することを継続するであろう。ミュート機能もまた利用可能である。
【００３６】
（統合音声メモ帳）
本発明の別の機能は、運転者が駐車し又はメモ帳若しくは装置を探している間に忘れないように、運転中に思考及び重要な着想を運転者に記録させることができる、統合メモ帳である。メモはＥメールを介して運転者の着信ボックス、又は任意の運転者の連絡先に転送され得る。メモは、ユーザが職場に到着するとＢｌｕｅｔｏｏｔｈインターフェースを介してコンピュータのデスクトップに無線で転送され、又はリムーバブルＵＳＢフラッシュメモリドライブに転送され得る。メモはまた、場所、天気、及び訪問情報を含む高度の文脈情報を使用して自動的に注釈付けされ得る。例えば、「このメモは、夜間に、職場と製造施設との中間地点における幹線道路の交通渋滞の中で記録されました」。このような拡張情報は、メモを再検討するときに価値ある手掛かりを提供することができる。
【００３７】
（多様な情報へのアクセス）
本発明の例示的な実施形態の別の機能は、多様な情報へアクセスする能力である。情報は、多様なソースから可聴形式（テキスト・ツー・スピーチ)で利用可能である。第１に、制御ユニット１１は、個人の接続性及び時間管理情報へのアクセスを提供する。これは、Ｅメール（新しい及び以前に読まれた）、着信の発呼者名及び番号、ＳＭＳメッセージ、ＭＭＳメッセージ、電話呼び出しログ、アドレス帳、カレンダ及びスケジュール、及びインスタントメッセージを含む。
【００３８】
第２に、制御ユニット１１は、複数形式のサポートを提供する。これは、プレーンテキスト、音声添付ファイル（すなわち、．ｗａｖ、．ｍｐ３）、ＨＴＭＬ（すなわち、符号化Ｅメール及びウェブサイト）、Ｗｏｒｄ及びＰｏｗｅｒＰｏｉｎｔファイルのプレーンテキスト部分、Ａｄｏｂｅ  Ｐｏｒｔａｂｌｅ  Ｄｏｃｕｍｅｎｔ形式（ＰＤＦ）、ＯｐｅｎＤｏｃｕｍｅｎｔ形式、並びに上記形式の圧縮及び／又は符号化された添付ファイル（すなわち、．ｚｉｐ）を含む、読み上げられ得るＥメール添付ファイルを含む。
【００３９】
第３に、装置は、環境及び場所の認識を提供する。これは、現在地及びナビゲーション情報、地域の天候状態、車両状態、並びに関連の場所特有の情報（すなわち、「仕事」がどこか、「家」がどこか）を含む。
【００４０】
第４に、制御ユニット１１は、情報への遠隔アクセスを提供する。これは、既存のニュースソース（すなわち、既存のＲＳＳフィード）及びサポートされるウェブサイトを含む。これはまた、天気、カステム警報（すなわち、株価トリガ）、交通状態、個人化ニュース、Ｅブック（音声の本に限定されず、任意の本を含む）、個人化音声フィード、及び個人化画像又は乗客用の映像フィードを含む、付加価値サービスへの申し込みを含む。システムは、明示のユーザ要求無しで車両内で可聴形式の個人化ニュースコンテンツを取得し、翻訳し、且つ提供する。個人は、情報の共通ソースの組から選択することにより、又はカスタム検索基準を特定することにより好みを設定してもよい。新しい情報が利用可能であり且つ個人の好みに関連する場合、それは適切なときに個人に読み上げられる。車内存在検出、時刻、並びにＥメール、電話呼び出し、会談及びテキストメッセージを含む他の個人的なイベントに関する情報の重要性の組み合わせを用いて、個人により適切なインスタンスが特定され得る。
【００４１】
個人の好みは、特定の物語及びイベントが個人に読み上げられるように、負帰還を使用して微調整される。この負帰還は、将来の個人化コンテンツの関連性を改良するために個人の個人検索基準と組み合わせて使用される。オンラインニュースコンテンツに加えて、個人はまた、株式市場のイベント及び一般のウェブ検索用語を含む、他の利用可能なオンラインコンテンツを選択してもよい。個人化コンテンツのいくつかの例は以下を含む。
【００４２】
−天気
【００４３】
−カスタム警報（すなわち、株価トリガ）
【００４４】
−交通状態
【００４５】
−個人化ニュース
【００４６】
−Ｅブック（音声ブックに限定されず、任意の本）
【００４７】
−個人化音声フィード
【００４８】
−乗客用の個人化画像又は映像フィード
【００４９】
全テキスト情報が、個人に読み上げられる前に明瞭度を最適化するために構文解析され且つ翻訳される。
【００５０】
通知規則は、時間間隔、車内存在、及び新しいイベントの重要性と適切な場所認識ハードウェアのサポートとの任意の組み合わせを使用して個人により設定され、通知規則はまた、場所ベースの制約を含み得る。所望のニュースコンテンツは、定義済みのテンプレート又はカスタム検索用語を使用して選択され得る。
【００５１】
個人が聞くニュースイベント、中断されるニュースイベント、及び個人が明確なフィードバックを提供するニュースイベントに関する履歴情報を維持するために、ユーザフィードバックが組み込まれる。この情報は、後続のニュース情報をフィルタリングし、且つサービスを長く使うほどにユーザにより関連するニュースを提供するのを支援するために使用される。
【００５２】
無線データ転送の量を最小化するために、無線データ接続を有するサーバを使用して関連コンテンツの全ての検索及び選択が行われる。新しい情報を提示するための適切なインスタンスが局所的に（車両内で）検出される。適切なインスタンスが発生すると、検索サーバから最も新しい個人化ニュース情報の送信をトリガするために短い要求が送信される。
【００５３】
（個人化）
例示のシステム１０の別の機能は、Ｅメール処理、Ｅメール通知、時間依存規則、車両認識動作、テキスト・ツー・スピーチの好み、及び複数のユーザサポートに関する拡張個人化及びカスタム化である。
【００５４】
ユーザのプロファイル３０内のＥメール処理設定は、運転者に制御ユニット１１に内蔵のインテリジェントＥメール構文解析及び処理を使用させる。これにより運転者は、全ての重要でない着信Ｅメールに対する通知を受信することを回避することができる。インテリジェントな構文解析機能のいくつかは、自動応答、コンテンツ及び送信者に基づく転送及び優先順位付け、並びに難しい語句（すなわち、Ｅメールアドレス及びウェブサイトＵＲＬ）の簡単な名前及び単語への置換を含む。運転者はまた、新しいＥメールが到着すると選んだ情報のみを聞くことを選ぶことができる（すなわち、送信者名のみ、又は送信者および主題、または簡単な概要）。Ｅメールの「呼び出し音」はまた、送信者又は特定のキーワードに基づく着信Ｅメールに利用可能である。用意されたテキスト又は音声応答が、頻繁に使用される応答（すなわち、「ただ今移動中です。」）を送信するために使用され得る。いくつかの用意されたクイックレスポンスは、Ｅメールを例えば管理スタッフ等の事前選択された受信者に自動的に転送するために使用されてもよい。運転者はまた、Ｅメールアドレス構成及び複数のＥメールアドレス規則の両方を設定することができる（すなわち、「ｍｅ＠ｗｏｒｋ．ｃｏｍ」に送信されたＥメールに応答するときに「ｍｅ＠ｗｏｒｋ．ｃｏｍ」を使用するが、新しいＥメールを作成するときには「ｍｅ＠ｍｏｂｉｌｅ．ｃｏｍ」を使用する）。
【００５５】
運転者はまた、通知をカスタマイズすることができる。これは、発呼者又は送信者及び主題に基づいてＥメール及び電話呼び出しを優先順位付けすることを含む（すなわち、ベンからのＥメールは決して読み上げるな、又はジョージからＥメールが到着する場合、それは他より前に読まれるべきである）。運転者はまた、受信する通知の量を制限することができる（すなわち、通知間の最小時間、又は短期間に読み上げられる最大Ｅメール数を設定する）。
【００５６】
プロファイル３０の時間依存規則は、例えば「午前中は邪魔しないこと」、又は「この時間の間に着信するＥメールに関してのみ通知すること」等の選択肢を含んでもよい。運転者はまた、移動装置からカレンダ及びスケジューリング事項に基づく可聴リマインダの種類を設定することができる。車両認識動作は、車両内のユーザの存在に基づいて設定可能である。こうした動作は、自動応答の内容及び特定のＥメールを管理スタッフ又は他の個人に自動的に転送するための定義済みの宛先及び規則を含む。これらはまた、複数のＢｌｕｅｔｏｏｔｈ使用可能の移動装置が存在する場合に取る動作を含む（すなわち、サイレントの「邪魔しないこと」モードに切り替え、又は動作を一切取らない）。
【００５７】
また、装置用のテキスト・ツー・スピーチ設定が設定可能である。これは、例えば速度、音声、及び音量等の音声特性を含む。音声は、男性又は女性に設定されてもよく、且つ限定的にではなく米国英語、英国英語、フランス語、スペイン語、ドイツ語、イタリア語、オランダ語、及びポルトガル語を含む、多数の言語を話すように設定されてもよい。言語の基本の組が装置に提供されるが、代替言語が将来利用可能であろう。運転者は、例えば難しい連絡先の名前等の特定の単語、及び例えば「Ｈ２Ｏ」等の特殊の頭字語又はシンボルの発音に関する個人の好みを設定することができる。デフォルトでは、ほとんどの頭字後は、文字ごとにスペルを言われる（すなわち、ＩＭＳ、ＵＳＢ）。
【００５８】
特定の単語又は語句に関する情報は、音声認識の性能及びテキスト・ツー・スピーチの性能の両方を向上させるために使用されてもよく、且つこれは文脈依存ショートカットを含む。例えば、ニックネームは、運転者がＥメールを口述している場合には、Ｅメールアドレスに拡張されるべきである。さらに、Ｅメールアドレスは、見つかれば一般の名前に拡張されるべきである。運転者はまた、カスタム音声プロンプト又はグリーティングを設定することができる。
【００５９】
装置はまた、複数の人々が同じ装置を共有することができる複数ユーザのサポートを特徴とする。装置は、移動装置１２により各人物を自動的に識別し、且つ運転者ごとに個人のプロファイル３０を維持する。
【００６０】
（接続性）
制御ユニット１１の接続機能により、それはハンズフリー音声システムとして機能することができる。それは、限定的にではなくＢｌｕｅｔｏｏｔｈ使用可能車両（ＨＳ、ＨＦＰ、及びＡ２ＤＰ）、アフターマーケットのハンズフリー車両製品、及びプライバシーを提供するためにサポートされるヘッドセットを含む、サポートされるＢｌｕｅｔｏｏｔｈハンズフリー装置と相互作用する。Ｂｌｕｅｔｏｏｔｈ又は他の無線のサポートを含まない車両に対しては、制御ユニット１１は、有線接続を介して車両の音声システム１６に直接接続することができる。また、無線接続を持たない既存の車両には、任意のアフターマーケットのＢｌｕｅｔｏｏｔｈキットの形態で改造の解決法が利用可能であろう。
【００６１】
システム１０は、制御ユニット１１にアクセスするためにリモコン２６を含んでもよい。緊急応答サポートが緊急時の直接支援に利用可能であり、利用可能であればＧＰＳ位置情報を提供する。運転者はまた、ストリーミング音楽のような機能を含み且つ画像コンテンツ（すなわち、ＰｏｗｅｒＰｏｉｎｔ、Ｅメールに添付の画像、スライドショー）を提供する、高度の無線音声／映像システムを介して制御ユニット１１を使用することができる。また、統合ハンドルコラムボタンが利用可能な選択肢である。
【００６２】
制御ユニット１１はまた、コンピュータ及び外部装置に接続することができる。これは、パーソナルエリアネットワーク（ＰＡＮ）上で好都合に情報を交換するためにＢｌｕｅｔｏｏｔｈを備えるパーソナルコンピュータを含む。これはまた、場所認識のためのＧＰＳ装置（Ｂｌｕｅｔｏｏｔｈ又は他の無線若しくは有線接続を備える）を含む。これはまた、個人のＥブック図書館のための、又は統合ハンズフリーインターフェースを有するオフラインコンテンツを管理するための記憶装置（Ｂｌｕｅｔｏｏｔｈ又は他の無線若しくは有線）を含む。任意のケーブルが、音声コマンドでｉＰｏｄ又は他の音楽プレーヤを制御するために利用可能であろう。装置のＵＳＢポートを介して、運転者は、別個の移動装置無しで直接モバイルアクセスのためにＵＳＢ  ＧＰＲＳ／ＥＤＧＥ／３Ｇ装置又は高速インターネットアクセスのためにＵＳＢ  ＷｉＦｉのような品目を取り付けることにより、装置の機能を拡張することができる。
【００６３】
（アップグレード可能性及び拡張）
運転者は、標準のＢｌｕｅｔｏｏｔｈ使用可能装置を使用して無線で制御ユニット１１に将来の増強を追加してもよい。これは、情報を転送し且つ同期するためにデスクトップ又はノートブックコンピュータでの無線転送をサポートする。ステレオ及び高品質音声用の高度のＢｌｕｅｔｏｏｔｈプロファイルサポート（すなわち、Ａ２ＤＰ）がまた利用可能である。
【００６４】
先に述べたように、制御ユニット１１は、２つのＵＳＢポートを含むであろう。標準ＵＳＢポート又はポート群は、標準のＵＳＢフラッシュドライブに好みを記憶すること、装置により記録されたオフラインのメモ及び複写を記憶及び移動すること、並びに将来の拡張、アップグレード及びアドオン機能のために、標準のＵＳＢ装置への好都合なアクセスを提供するであろう。２重目的ＵＳＢ２．０の「Ｏｎ−Ｔｈｅ−Ｇｏ」ポート又はポート群は、ＵＳＢ装置にアクセスするために上述の機能と、また標準ケーブルでのコンピュータとの直接接続（すなわち、デジタルカメラ又はＧＰＳユニットを直接コンピュータに接続するのと同様に）との両方を提供するであろう。
【００６５】
（メディア交換）
示されたように、制御ユニット１１はまた、映像ファイルだけでなく、ｍｐ３、ｗａｖ、ＡＩＦＦ、及び他の圧縮又は非圧縮音声形式のような音声ファイルを再生する。ユーザは、複数の方法で任意のメディアコンテンツ（歌、映像、本等）を要求することができる。ユーザは制御ユニット１１と相互作用する。制御ユニット１１は、著者、歌手、タイトル、メディアの種類等のようなユーザが有するできるだけ多くの情報と共に移動装置１２を介してサーバ２７（又は専用サーバ）にＥメール要求を送信する。制御ユニット１１は、音声からテキストへの変換を用いてＥメールを生成することができる。制御ユニット１１は代替的に、メディアコンテンツに対するユーザからの音声要求と共に音声ファイルを添付することができる（この場合もやはり著者、歌手、タイトル、メディアの種類等を識別する）。制御ユニット１１はまた、所望の歌をハミングするユーザの音声ファイルを送信することができる。
【００６６】
娯楽システム部品１６、１６Ａ、１６Ｂは、現在再生されている歌のタイトル及びアーティストを識別するコンテンツ情報（例えば、ＲＢＤＳ／ＲＤＳ情報）を制御ユニット１１に送信してもよい（例えば回線５４を介して）。代替的に、制御ユニット１１は、スピーカで再生されている音声を聴くことができる（例えば回線１５又はマイクロホン１７を介して）。ユーザが現在再生中のメディアコンテンツを好むことを示す場合（例えば「この歌が気に入りました」、又は「この映像が気に入りました」と話しかけることにより）、制御ユニット１１は現在再生中のメディアコンテンツを識別する（制御ユニット１１は既にその識別を直接有していてもよく、又は回線１５若しくはマイクロホン１７を介してメディアコンテンツをサンプリングすることにより及びそれをサーバ、例えばサーバ２７に識別のために送信することによりそれを入手することができる）。制御ユニット１１がメディアコンテンツの識別を判断した後、制御ユニット１１は、メディアコンテンツの購入費用及びメディアコンテンツを購入するための選択肢の申し出を含む情報をユーザに列挙してもよい。制御ユニット１１はまた、メディアコンテンツを購入する形式の種類（例えば、ダウンロードによるｍｐ３、郵送によるＣＤ、郵送によるＤＶＤ等）、特定のメディアコンテンツのみを購入すべきか又はメディアコンテンツを含む全アルバムを購入すべきか、同じアーティストによる他のメディアコンテンツを探索するかどうか等をユーザに尋ねてもよい。ユーザからの口頭の要求に応じて、制御ユニット１１は、例えばＥメール要求をサーバ２７に送信すること等により、メディアコンテンツの要求を送信する。
【００６７】
何れの形式の要求であっても、サーバ２７は、要求を識別し且つ所望のメディアコンテンツを判断するためにＥメール要求を構文解析するであろう。例えば、ユーザが著者又は歌手のみを特定すれば、歌手／著者の最も新しい作品が提供されるという推定が行われる場合があってもよい。
【００６８】
メディアコンテンツが購入されると、サーバ２７は、自身のデータベース又はインターネット（又はワイドエリアネットワーク）上でアクセス可能な他のデータベース５２からメディアコンテンツを検索する。サーバは、次に、識別情報を含めて要求されたメディアコンテンツをＥメールに添付し、且つそれをユーザに送信する。制御ユニット１１は移動装置１２を介してＥメールを受信し、要求に対する応答を識別し、制御ユニット１１の記憶装置にメディアコンテンツを記憶し、且つ再生を開始する。随意に、適切な場合は、サーバ２７はユーザのアカウントにメディアコンテンツの購入に対して課金してもよい（ユーザのアカウントは、クレジットカード、銀行アカウント、又は他の支払方法に関連してもよい）。
【００６９】
検索及び記憶の後、制御ユニット１１は、タイトル、著者／歌手、メディアの種類等を通知し、且つユーザが制御ユニット１１にメディアコンテンツを再生し、メディアコンテンツをアーカイブに保管し又はメディアメディアコンテンツを無視することを希望するかどうかを尋ねることにより、ユーザに受信されたメディアコンテンツを識別する。再生は音声コマンド（早送り、巻き戻し、繰り返し、中断、再生等）によって制御され得る。
【００７０】
選択として、各アカウント３０はさらに、コピーがユーザの制御ユニット１１に転送される前にユーザによって要求される任意のメディアコンテンツが記憶される関連するメディア記憶アカウント３１を含む。これは、メディアコンテンツのバックアップを提供し且つ他人とのメディアコンテンツの共有を容易にする。
【００７１】
ユーザは、制御ユニット１１と相互作用して、コンテンツを（上記のように）特定し且つメディアコンテンツが送信されるであろう人物又はアカウントも特定するサーバ２７へのＥメールを生成することにより、他のユーザにメディアコンテンツを転送することができる。コンテンツが既に送信者のメディア記憶アカウント３１に記憶されている場合、サーバ２７は、コピーを受信者のメディア記憶アカウント３１に送信し且つコピーを対象の受信者にＥメールで送るであろう。コンテンツが送信者のメディア記憶アカウント３１にまだ記憶されていない場合、サーバ２７は、コピーを（上記のように）取得し且つ受信者のメディア記憶アカウント３１に加えるであろう。ライセンス合意に基づいて適切であれば、サーバ２７は、送信者のアカウントに受信者に送信されたコンテンツを課金するであろう。受信者の制御ユニット１１（又は類似のもの）は、コンテンツ及び送信者を通知し且つコンテンツを再生することを尋ねるであろう。
【００７２】
メディアは、サーバ２７及び承認された制御ユニット１１によってのみ読取り可能な独自仕様の形式で提供されてもよい。
【００７３】
各ユーザのメディア記憶アカウント３１は、ユーザにより要求される全てのメディアコンテンツ及び他のユーザから受信される全てのメディアコンテンツを記憶する。制御ユニット１１が制御ユニット１１に接続されるユーザの移動装置１２を検出すると、ユーザが現在メディアコンテンツを受信可能であることを示すメッセージがサーバに２７に送信される。サーバ２７は、メディア記憶アカウント３１内のメディアコンテンツを列挙して制御ユニット１１が読み上げる報告をユーザに提供するであろう。ユーザは、メディアコンテンツを選択して、再生し、制御ユニット１１にアーカイブを保管し、受信を拒絶し又は延期することができる。各ユーザは、メールボックスを有するように、自身のメディア記憶アカウント３１を有する。ユーザは歌（又は他のメディアコンテンツ）に関して関連メディア記憶アカウントを調べ、タイトルを閲覧し且つ選択を再生し、又はメディア記憶アカウント３１内のメディアコンテンツを連絡先リストに入れてある人物に転送することができる。
【００７４】
この機能は、ユーザのメディアコンテンツのバックアップを提供し、ユーザが車両内でメディアコンテンツを要求し且つ再生するための簡易な方法を提供し、並びにユーザがメディアコンテンツを他のユーザと共有するための簡易な方法を提供する。
【００７５】
特許の法律及び法律学の定めに従って、上記の例示的な構成は、本発明の好ましい実施形態を示すものとみなされる。しかしながら、本発明は、その精神又は範囲から逸脱することなく詳細に例示され且つ記載されたものとは別に実施され得ることが留意されるべきである。
【図１】
2010531482.tif 000003
【図２】
2010531482.tif 000004
【国際調査報告】
2010531482.tif 000005
2010531482.tif 000006
2010531482.tif 000007
2010531482.tif 000008
2010531482.tif 000009
2010531482.tif 000010
2010531482.tif 000011